(57)【要約】【課題】表示パネルに表示される内容を妨げない位置にアンテナを配置することができると共に、タッチパネル式ディスプレイへの対応を可能とした表示パネルを提供する。【解決手段】この表示パネル５０は、画像を表示する表示部１と、表示部１に表示された画像ａ〜ｄに対応する位置に近接されたＩＣカード（非接触情報記録媒体）４に記録された記録データを電波として受信するアンテナ１Ａ、１Ｂ〜４Ａ、４Ｂと、を備えて構成されている。そして、アンテナ１Ａ、１Ｂ〜４Ａ、４Ｂは、２つのフェライトコア６ａ、６ｂに直列に巻き回されたコイル７ａ、７ｂにより構成され、表示部１の少なくとも４隅に２つのフェライトコア６ａ、６ｂを直交するように配置する。従って、コイル７ａ、７ｂはワイア８により直列に接続されている。【選択図】図１
2010039704.tif 000002
【特許請求の範囲】
【請求項１】
個別の画像を表示する複数の個別表示区画を有する表示部と、各個別表示区画に表示された画像に近接された非接触情報記録媒体に記録された記録データを電波として受信するアンテナと、を備えた表示パネルにおいて、
前記アンテナは、互いに直交する２つのフェライトコアと、各フェライトコアに夫々直列に巻き回されたコイルとにより構成され、前記各個別表示区画に前記２つのフェライトコアを直交するように配置することを特徴とする表示パネル。
【請求項２】
個別の画像を表示する複数の個別表示区画を有する表示部と、各個別表示区画に表示された画像に近接された非接触情報記録媒体に記録された記録データを電波として受信するアンテナと、を備えた表示パネルにおいて、
前記アンテナは、互いに直交する２つのフェライトコアと、各フェライトコアに夫々個別に巻き回されたコイルとにより構成され、前記各個別表示区画に前記２つのフェライトコアを直交するように配置することを特徴とする表示パネル。
【請求項３】
前記各フェライトコアから放射される磁力線が、前記各個別表示区画の面上で合成されるように構成されていることを特徴とする請求項１又は２に記載の表示パネル。
【請求項４】
個別の画像を表示する複数の個別表示区画を有する表示部と、各個別表示区画に表示された画像に近接された非接触情報記録媒体に記録された記録データを電波として受信するアンテナと、を備えた表示パネルにおいて、
前記アンテナは、フェライトコアと、該フェライトコアに巻き回されたコイルとにより構成され、前記各個別表示区画に前記フェライトコアを夫々配置することを特徴とする表示パネル。
【請求項５】
前記各フェライトコアから放射される磁力線が、前記各個別表示区画の面上を通過するように配置されることを特徴とする請求項４に記載の表示パネル。
【請求項６】
前記表示部と少なくとも大きさが等しいガラス基板を備え、該ガラス基板を前記表示部と対向して配置し、前記アンテナを前記ガラス基板の面と同一平面になるように配置したことを特徴とする請求項１乃至５の何れか一項に記載の表示パネル。
【請求項７】
請求項１乃至６の何れか一項に記載の表示パネルと、前記アンテナの何れか１つを選択するアンテナ選択手段と、前記非接触情報記録媒体のアンテナを介して所定の変復調方式に基づく搬送電力の送信とデータの授受を行うリーダライタと、前記表示パネル、前記アンテナ選択手段及び前記リーダライタを制御する制御手段と、を備え、
前記制御手段は、時分割で前記各アンテナを選択するように前記アンテナ選択手段を制御し、該アンテナ選択手段により選択されたアンテナに前記非接触情報記録媒体が近接されている場合、該アンテナに対応する個別表示区画に係る画像に関するデータを該アンテナを介して前記非接触情報記録媒体に記録することを特徴とするリーダライタシステム。
【発明の詳細な説明】
【技術分野】
【０００１】
本発明は、表示パネル、及びリーダライタシステムに関し、さらに詳しくは、表示パネルに備えたアンテナの配置技術、及びこの表示パネルを使用して情報記録媒体とのデータの授受を行なうリーダライタシステムに関するものである。
【背景技術】
【０００２】
近年、ＩＣカードと呼ばれる新しい情報記録媒体が、市場に広く出回っている。ＩＣカードとは、クレジットカード、銀行カード、ポイントカード等のカード状あるいはシート状の形状を備え、カード内、或いはカード上にＩＣが組み込まれている読み書き可能な記録媒体を総称した名称である。特に、非接触型ＩＣカードは、例えば、鉄道等の交通機関の駅構内への入退場時に使用される定期券、プリペイドカードとして多く使用されている。これらのＩＣカードを使用したシステムにおいては、リーダライタのアンテナ面とＩＣカードの位置関係は、互いの面を平行に近接配置して使用することが一般的である。
また、従来のシステムとして、ディスプレイの案内に従って、ディスプレイ上にＩＣカードを近接して運用するアプリケーションがある。このようなアプリケーションでは、例えば、図９に示すように、ディスプレイ６２上に細い金属線６４でアンテナを構成する必要があり、このアンテナはディスプレイ６２と対向配置したガラス基板６１下面に構成するため、表示の妨げとなったり、タッチパネル式ディスプレイへの対応が困難であった（特許文献１参照）。
【特許文献１】特開２００６−１９５９２５公報
【発明の開示】
【発明が解決しようとする課題】
【０００３】
本発明は、かかる課題に鑑みてなされたものであり、アンテナを表示パネルの表示部外に配置して、アンテナからの磁力線が表示パネル面上を通過させることにより、表示パネルに表示される内容を妨げない位置にアンテナを配置することができると共に、タッチパネル式ディスプレイへの対応を可能とした表示パネルを提供することを目的とする。
また他の目的は、本発明の表示パネルを使用して、ディスプレイの案内に従って、ディスプレイ上にＩＣカードを近接して運用するアプリケーションを容易とすることである。
【課題を解決するための手段】
【０００４】
本発明はかかる課題を解決するために、請求項１は、個別の画像を表示する複数の個別表示区画を有する表示部と、各個別表示区画に表示された画像に近接された非接触情報記録媒体に記録された記録データを電波として受信するアンテナと、を備えた表示パネルにおいて、前記アンテナは、互いに直交する２つのフェライトコアと、各フェライトコアに夫々直列に巻き回されたコイルとにより構成され、前記各個別表示区画に前記２つのフェライトコアを直交するように配置することを特徴とする。
従来から表示部にアンテナを備え、表示部の案内に従って、表示部上にＩＣカードを近接して運用するアプリケーションがある。本発明は、２つのフェライトコアと、このフェライトコアに直列に巻き回されたコイルとによりアンテナを構成し、個別表示区画に２つのフェライトコアが直交するように配置する。これにより、少なくとも表示部を４分割した領域を個別に認識することができると共に、表示部をタッチパネル式ディスプレイへの対応を可能とすることができる。
請求項２は、個別の画像を表示する複数の個別表示区画を有する表示部と、各個別表示区画に表示された画像に近接された非接触情報記録媒体に記録された記録データを電波として受信するアンテナと、を備えた表示パネルにおいて、前記アンテナは、互いに直交する２つのフェライトコアと、各フェライトコアに夫々個別に巻き回されたコイルとにより構成され、前記各個別表示区画に前記２つのフェライトコアを直交するように配置することを特徴とする。
１つのアンテナから放射される磁力線の強度は左程強くはない。従って、非接触情報記録媒体が近接される位置のバラツキによって、磁力線が非接触情報記録媒体と交差しない場合も発生する。そこで本発明では、各個別表示区画に２つのフェライトコアを直交するように配置する。これにより、非接触情報記録媒体が近接される位置にバラツキが生じても、磁力線が非接触情報記録媒体と交差する確率を高めることができる。
【０００５】
請求項３は、前記各フェライトコアから放射される磁力線が、前記各個別表示区画の面上で合成されるように構成されていることを特徴とする。
表示部は一般的に強度を高めるために金属により裏面が覆われている。金属は、アンテナから放射される磁力線を反射、或いはエネルギを吸収する働きがある。従って、磁力線が表示部を貫通するように構成することはできないので、本発明では、フェライトコアから放射される磁力線が表示部の面上で合成されるように各フェライトコアを配置する。これにより、金属による磁力線の減衰を最小限にすると共に、磁力線の強度を強くすることができる。
請求項４は、個別の画像を表示する複数の個別表示区画を有する表示部と、各個別表示区画に表示された画像に近接された非接触情報記録媒体に記録された記録データを電波として受信するアンテナと、を備えた表示パネルにおいて、前記アンテナは、フェライトコアと、該フェライトコアに巻き回されたコイルとにより構成され、前記各個別表示区画に前記フェライトコアを夫々配置することを特徴とする。
本発明では、１つのフェライトコアと、このフェライトコアに巻き回されたコイルとによりアンテナを構成し、このアンテナを各個別表示区画に夫々配置しても非接触情報記録媒体との交信を行なうことができる。これにより、コイルとフェライトコアの数を半減することができる。
請求項５は、前記各フェライトコアから放射される磁力線が、前記各個別表示区画の面上を通過するように配置されることを特徴とする。
請求項３と同様の作用効果を奏する。
【０００６】
請求項６は、前記表示部と少なくとも大きさが等しいガラス基板を備え、該ガラス基板を前記表示部と対向して配置し、前記アンテナを前記ガラス基板の面と同一平面になるように配置したことを特徴とする。
アンテナが表示部の面と同一で無いとアンテナが操作性を阻害する要因となる。従って、表示パネルがタッチパネル式でない場合は、ガラス基板を表示部と対向して配置し、アンテナはガラス基板の面と同一平面になるように配置する。これにより、操作面が平面となり、操作性を高めることができる。
請求項７は、請求項１乃至６の何れか一項に記載の表示パネルと、前記アンテナの何れか１つを選択するアンテナ選択手段と、前記非接触情報記録媒体のアンテナを介して所定の変復調方式に基づく搬送電力の送信とデータの授受を行うリーダライタと、前記表示パネル、前記アンテナ選択手段及び前記リーダライタを制御する制御手段と、を備え、前記制御手段は、時分割で前記各アンテナを選択するように前記アンテナ選択手段を制御し、該アンテナ選択手段により選択されたアンテナに前記非接触情報記録媒体が近接されている場合、該アンテナに対応する個別表示区画に係る画像に関するデータを該アンテナを介して前記非接触情報記録媒体に記録することを特徴とする。
本発明では、表示部の周囲に配置したアンテナを時分割に選択して、選択されたアンテナに非接触情報記録媒体が近接された場合、このアンテナに対応する画像に関するデータをアンテナを介して非接触情報記録媒体に記録する。これにより、少なくとも表示部を４分割した領域を個別に認識することができると共に、表示部の内容を変更することによりアプリケーションの範囲を拡げることができる。
【発明の効果】
【０００７】
本発明によれば、２つのフェライトコアと、このフェライトコアに直列に巻き回されたコイルとによりアンテナを構成し、このアンテナを個別表示区画に２つのフェライトコアが直交するように配置するので、個別表示区画を個別に認識することができると共に、表示部をタッチパネル式ディスプレイへの対応を可能とすることができる。
また、各個別表示区画に２つのフェライトコアを直交するように配置するので、非接触情報記録媒体が近接される位置にバラツキが生じても、磁力線が非接触情報記録媒体と交差する確率を高めることができる。
また、フェライトコアから放射される磁力線が表示部の面上で合成されるように各フェライトコアを配置するので、金属による磁力線の減衰を最小限にすると共に、磁力線の強度を強くすることができる。
また、１つのフェライトコアと、このフェライトコアに巻き回されたコイルとによりアンテナを構成し、そのアンテナを個別表示区画に夫々配置するので、コイルとフェライトコアの数を半減することができる。
また、表示パネルがタッチパネル式でない場合は、ガラス基板を表示部と対向して配置し、アンテナはガラス基板の面と同一平面になるように配置するので、操作面が平面となり、操作性を高めることができる。
また、表示部の周囲に配置したアンテナを時分割に選択して、選択されたアンテナに非接触情報記録媒体が近接された場合、このアンテナに対応する画像に関するデータをアンテナを介して非接触情報記録媒体に記録するので、少なくとも表示部を４分割した領域を個別に認識することができると共に、表示部の内容を変更することによりアプリケーションの範囲を拡げることができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１（ａ）は本発明の第１の実施形態に係る表示パネルの概略構成を示す図である。図１（ｂ）はＩＣカード４とアンテナ２Ａ、２Ｂから放射される磁力線との関係を示す図である。
この表示パネル５０は、個別の画像を表示する複数の個別表示区画ａ〜ｄを有する表示部１と、表示部１に表示された画像ａ〜ｄに対応する位置に近接されたＩＣカード（非接触情報記録媒体）４に記録された記録データを電波として受信するアンテナ１Ａ、１Ｂ〜４Ａ、４Ｂと、を備えて構成されている。そして、アンテナ１Ａ、１Ｂ〜４Ａ、４Ｂは、２つのフェライトコア６ａ、６ｂと、フェライトコア６ａ、６ｂに直列に巻き回されたコイル７ａ、７ｂとにより構成され、表示部１の少なくとも４隅に２つのフェライトコア６ａ、６ｂを直交するように配置する。従って、コイル７ａ、７ｂはワイア８により直列に接続されている。
【０００９】
本実施形態では、表示部１は４つの領域ａ〜ｄにより分離され、夫々に必要な表示内容が表示される。そして、例えば領域ｂにＩＣカード４が近接されると、図１（ｂ）に示すように、アンテナ２Ａのフェライトコア６ａからは磁力線２が放射され、アンテナ２Ｂのフェライトコア６ｂからは磁力線３が放射される。このとき磁力線２、３の向きが同じ場合は、２つの磁力線が合成されて合成磁力線５としてＩＣカード４を横切る（詳細は後述する）。一例として、表示部１の４つの領域ａ〜ｄに、１０００円、５０００円、１万円、２万円の異なるチャージ金額を表示させ、例えば、５０００円をチャージする場合は、金額を投入後、その部分にＩＣカードを近接することにより、ＩＣカードに５０００円のデータを記録することができる。
即ち、従来から表示部にアンテナを備え、表示部の案内に従って、表示部上にＩＣカードを近接して運用するアプリケーションがある。本実施形態は、２つのフェライトコア６ａ、６ｂと、フェライトコア６ａ、６ｂに直列に巻き回されたコイル７ａ、７ｂにより１つのアンテナを構成し、このアンテナを表示部１の少なくとも４隅に２つのフェライトコア６ａ、６ｂが直交するように配置する。これにより、少なくとも表示部１を４分割した領域（領域ａ〜ｄ）を個別に認識することができると共に、表示部１の表面に従来のようなアンテナを配置する必要がなくなり、表示部１をタッチパネル式ディスプレイへの対応を可能とすることができる。
【００１０】
図２は図１（ｂ）を側面から見た図である。図２により合成磁力線５と表示部１との位置関係を説明する。アンテナ２Ａとアンテナ２Ｂはフェライトコア６ａと６ｂが直交するように配置されている。ここでコイル７ａに電流を流すと、コイル７ｂはコイル７ａと直列に接続されているため、同時に磁力線２と３が矢印の方向に放射する。磁力線２と３の向きは互いに同じ向きのため、磁力線２と３の和となる合成磁力線５が生成される。このときＩＣカード４を合成磁力線５と交差する向きに近接すると、アンテナ２Ａ、２Ｂにより生成された磁界によりＩＣカード４が活性化されて交信が可能となる。
即ち、表示部１は一般的に強度を高めるために金属により裏面が覆われている。金属は、アンテナから放射される磁力線を反射、或いはエネルギを吸収する働きがある。従って、磁力線が表示部１を貫通するように構成することはできないので、本実施形態では、フェライトコア６ａ、６ｂから放射される磁力線２、３が表示部１の面上で合成されるように各フェライトコア６ａ、６ｂを配置する。これにより、金属による磁力線の減衰を最小限にすると共に、磁力線の強度を強くすることができる。
また、２つのフェライトコア６ａ、６ｂから放射される磁力線２、３の向きが同じ場合、合成磁力線５は夫々の和となる。従って、合成磁力線５によりＩＣカード４と交信することが一番好ましい。即ち、その位置に画像を表示することにより、最適な位置にＩＣカード４が近接されることになる。これにより、ＩＣカード４による交信エラーを低減することができる。
【００１１】
図３（ａ）は本発明の第１の実施形態に係るリーダライタシステムの構成を示すブロック図である。このリーダライタシステム１００は、図１に記載の表示パネル５０と、アンテナ１Ａ、１Ｂ〜４Ａ、４Ｂの何れか１つを選択するアンテナ選択部（アンテナ選択手段）１１と、ＩＣカード４のアンテナ（図示せず）を介して所定の変復調方式に基づく搬送電力の送信とデータの授受を行うリーダライタ（Ｒ／Ｗ）１０と、表示パネル５０、アンテナ選択部１１及びリーダライタ１０を制御するＰＣ（制御手段）１２と、を備えて構成されている。ＰＣ１２は、時分割で各アンテナ１Ａ、１Ｂ〜４Ａ、４Ｂを選択するようにアンテナ選択部１１を制御し、アンテナ選択部１１により選択されたアンテナにＩＣカード４が近接されている場合、このアンテナに対応する画像に関するデータをアンテナを介してＩＣカード４に記録する。
図３（ｂ）はアンテナ選択部１１がアンテナ１Ａ、１Ｂ〜４Ａ、４Ｂを時分割で選択するタイミングチャートである。縦軸に各アンテナ１〜４、横軸に時間（Ｔ）を表す。このタイミングチャートから解るとおり、各アンテナ１〜４は、タイミングｔ１ではアンテナ１Ａ、１Ｂが選択され、次のタイミングｔ２ではアンテナ２Ａ、２Ｂが選択され、次のタイミングｔ３ではアンテナ３Ａ、３Ｂが選択され、次のタイミングｔ４ではアンテナ４Ａ、４Ｂが選択され、この動作を繰り返す。尚、時分割の順番はこれに限らずどのような順番でも構わない。
即ち、本実施形態では、表示部１の周囲に配置したアンテナ１Ａ、１Ｂ〜４Ａ、４Ｂを時分割に選択して、選択されたアンテナにＩＣカード４が近接された場合、このアンテナに対応する画像に関するデータをアンテナを介してＩＣカード４に記録する。これにより、少なくとも表示部１を４分割した領域を個別に認識することができると共に、表示部１の内容を変更することによりアプリケーションの範囲を拡げることができる。
【００１２】
図４（ａ）は本発明の第２の実施形態に係る表示パネルの概略構成を示す図である。図４（ｂ）はＩＣカード４とアンテナ２Ｂから放射される磁力線との関係を示す図である。同じ構成要素には図１と同じ参照番号を付して説明する。この表示パネル５１は、個別の画像を表示する複数の個別表示区画ａ〜ｄを有する表示部１と、表示部１に表示された画像ａ〜ｄに対応する位置に近接されたＩＣカード４に記録された記録データを電波として受信するアンテナ１Ａ、２Ｂ、３Ｂ、４Ａと、を備えて構成されている。そして、アンテナ１Ａ、２Ｂ、３Ｂ、４Ａは、１つのフェライトコア６と、フェライトコア６に巻き回されたコイル７により夫々構成され、表示部１の少なくとも４辺に１つのフェライトコア６を配置する。
本実施形態では、表示部１は４つの領域ａ〜ｄにより分離され、夫々に必要な表示内容が表示される。そして、例えば領域ｂにＩＣカード４が近接されると、図４（ｂ）に示すように、アンテナ２Ｂのファライトコア６ｂからは磁力線３が放射される。このとき磁力線３としてＩＣカード４を横切る。
即ち、図１では表示部１の４隅に２つのフェライトコア６ａ、６ｂを直交させて合成磁力線を得たが、本実施形態では、１つのフェライトコア６に巻き回されたコイル７によりアンテナを構成し、そのアンテナを表示部１の４辺に夫々配置して、ＩＣカード４との交信行なう。これにより、コイル７とフェライトコア６の数を半減することができる。
【００１３】
図５（ａ）は本発明の第２の実施形態に係るリーダライタシステムの構成を示すブロック図である。同じ構成要素には図３と同じ参照番号を付して説明する。このリーダライタシステム１１０は、図４に記載の表示パネル５１と、アンテナ１Ａ、２Ｂ、３Ｂ、４Ａの何れか１つを選択するアンテナ選択部１１と、ＩＣカード４のアンテナ（図示せず）を介して所定の変復調方式に基づく搬送電力の送信とデータの授受を行うリーダライタ（Ｒ／Ｗ）１０と、表示パネル５１、アンテナ選択部１１及びリーダライタ１０を制御するＰＣ１２と、を備えて構成されている。ＰＣ１２は、時分割で各アンテナ１Ａ、２Ｂ、３Ｂ、４Ａを選択するようにアンテナ選択部１１を制御し、アンテナ選択部１１により選択されたアンテナにＩＣカード４が近接されている場合、このアンテナに対応する画像に関するデータをアンテナを介してＩＣカード４に記録する。
図５（ｂ）はアンテナ選択部１１がアンテナ１Ａ、２Ｂ、３Ｂ、４Ａを時分割で選択するタイミングチャートである。縦軸に各アンテナ１〜４、横軸に時間（Ｔ）を表す。このタイミングチャートから解るとおり、各アンテナ１〜４は、タイミングｔ１ではアンテナ１Ａが選択され、次のタイミングｔ２ではアンテナ２Ｂが選択され、次のタイミングｔ３ではアンテナ３Ｂが選択され、次のタイミングｔ４ではアンテナ４Ａが選択され、この動作を繰り返す。尚、時分割の順番はこれに限らずどのような順番でも構わない。
【００１４】
図６（ａ）は本発明の第３の実施形態に係る表示パネルの概略構成を示す図である。図６（ｂ）はＩＣカード４とアンテナ２Ａ、２Ｂから放射される磁力線との関係を示す図である。この表示パネル５２は、画像を表示する表示部１と、表示部１に表示された画像ａ〜ｄに対応する位置に近接されたＩＣカード４に記録された記録データを電波として受信するアンテナ１Ａ、１Ｂ〜４Ａ、４Ｂと、を備えて構成されている。そして、アンテナ１Ａ、１Ｂ〜４Ａ、４Ｂは、夫々１つのフェライトコア６ａ、６ｂと、フェライトコア６ａ、６ｂに巻き回されたコイル７ａ、７ｂとにより構成され、表示部１の少なくとも４隅に２つのフェライトコア６ａ、６ｂを直交するように配置する。
本実施形態では、表示部１は４つの領域ａ〜ｄにより分離され、夫々に必要な表示内容が表示される。そして、例えば領域ｂにＩＣカード４が近接されると、図６（ｂ）に示すように、アンテナ２Ａのファライトコア６ａからは磁力線２が放射され、アンテナ２Ｂのファライトコア６ｂからは磁力線３が放射される。
即ち、１つのアンテナから放射される磁力線の強度は左程強くはない。従って、ＩＣカード４が近接される位置のバラツキによって、磁力線がＩＣカード４と交差しない場合も発生する。そこで本実施形態では、表示部１の少なくとも４隅に２つのフェライトコアを直交するように配置する。これにより、ＩＣカード４が近接される位置にバラツキが生じても、磁力線２又は３がＩＣカード４と交差する確率を高めることができる。
【００１５】
図７（ａ）は本発明の第３の実施形態に係るリーダライタシステムの構成を示すブロック図である。このリーダライタシステム１２０は、図６に記載の表示パネル５２と、アンテナ１Ａ、１Ｂ〜４Ａ、４Ｂの何れか１つを選択するアンテナ選択部１１と、ＩＣカード４のアンテナ（図示せず）を介して所定の変復調方式に基づく搬送電力の送信とデータの授受を行うリーダライタ（Ｒ／Ｗ）１０と、表示パネル５２、アンテナ選択部１１及びリーダライタ１０を制御するＰＣ１２と、を備えて構成されている。ＰＣ１２は、時分割で各アンテナ１Ａ、１Ｂ〜４Ａ、４Ｂを選択するようにアンテナ選択部１１を制御し、アンテナ選択部１１により選択されたアンテナにＩＣカード４が近接されている場合、このアンテナに対応する画像に関するデータをアンテナを介してＩＣカード４に記録する。
図７（ｂ）はアンテナ選択部１１がアンテナ１Ａ、１Ｂ〜４Ａ、４Ｂを時分割で選択するタイミングチャートである。縦軸に各アンテナ１〜４、横軸に時間（Ｔ）を表す。このタイミングチャートから解るとおり、各アンテナ１〜４は、タイミングｔ１ではアンテナ１Ａが選択され、次のタイミングｔ２ではアンテナ１Ｂが選択され、次のタイミングｔ３ではアンテナ２Ａが選択され、次のタイミングｔ４ではアンテナ２Ｂが選択され、次のタイミングｔ５ではアンテナ３Ａが選択され、次のタイミングｔ６ではアンテナ３Ｂが選択され、次のタイミングｔ７ではアンテナ４Ａが選択され、次のタイミングｔ８ではアンテナ４Ｂが選択され、この動作を繰り返す。尚、時分割の順番はこれに限らずどのような順番でも構わない。
即ち、表示部１の４隅にフェライトコア６ａ、６ｂが直交するように配置したアンテナは、同じＩＣカード４のデータを２回読取ることになる。従って、２回のデータを比較して同じであれば、そのデータを有効とする。これにより、ＩＣカード４へのデータの信頼性を高めることができる。
【００１６】
図８は本発明の第４の実施形態に係る表示パネルの側面図である。この表示パネル５３は、表示部１と少なくとも大きさが等しいガラス基板２０を備え、このガラス基板２０を表示部１と対向して配置し、各アンテナ２Ａ、２Ｂはガラス基板２０の面と同一平面になるように配置する。即ち、アンテナ２Ａ、２Ｂが表示部１の面と同一で無いとアンテナ２Ａ、２Ｂが操作性を阻害する要因となる。従って、表示パネル５３がタッチパネル式でない場合（例えば、液晶パネル又は表示板等）は、ガラス基板２０を表示部１と対向して配置し、アンテナ２Ａ、２Ｂはガラス基板２０の面と同一平面になるように配置する。これにより、操作面が平面となり、操作性を高めることができる。
【図面の簡単な説明】
【００１７】
【図１】（ａ）は本発明の第１の実施形態に係る表示パネルの概略構成を示す図、（ｂ）はＩＣカード４とアンテナ２Ａ、２Ｂから放射される磁力線との関係を示す図である。
【図２】図１（ｂ）を側面から見た図である。
【図３】（ａ）は本発明の第１の実施形態に係るリーダライタシステムの構成を示すブロック図、（ｂ）はアンテナ選択部１１がアンテナ１Ａ、１Ｂ〜４Ａ、４Ｂを時分割で選択するタイミングチャートである。
【図４】（ａ）は本発明の第２の実施形態に係る表示パネルの概略構成を示す図、（ｂ）はＩＣカード４とアンテナ２Ｂから放射される磁力線との関係を示す図である。
【図５】（ａ）は本発明の第２の実施形態に係るリーダライタシステムの構成を示すブロック図、（ｂ）はアンテナ選択部１１がアンテナ１Ａ、２Ｂ、３Ｂ、４Ａを時分割で選択するタイミングチャートである。
【図６】（ａ）は本発明の第３の実施形態に係る表示パネルの概略構成を示す図、（ｂ）はＩＣカード４とアンテナ２Ａ、２Ｂから放射される磁力線との関係を示す図である。
【図７】（ａ）は本発明の第３の実施形態に係るリーダライタシステムの構成を示すブロック図、（ｂ）はアンテナ選択部１１がアンテナ１Ａ、１Ｂ〜４Ａ、４Ｂを時分割で選択するタイミングチャートである。
【図８】本発明の第４の実施形態に係る表示パネルの側面図である。
【図９】特許文献１に開示されている表示パネルの構成を示す図である。
【符号の説明】
【００１８】
１  表示部、２、３  磁力線、４  ＩＣカード、５  合成磁力線、６、７  フェライトコア、７  コイル、８  ワイア、１０  リーダライタ、１１  アンテナ選択部、１２  ＰＣ、２０  ガラス基板、５０、５１、５２  表示パネル、１００、１１０、１２０  リーダライタシステム
【図１】
2010039704.tif 000003
【図２】
2010039704.tif 000004
【図３】
2010039704.tif 000005
【図４】
2010039704.tif 000006
【図５】
2010039704.tif 000007
【図６】
2010039704.tif 000008
【図７】
2010039704.tif 000009
【図８】
2010039704.tif 000010
【図９】
2010039704.tif 000011